(57)【要約】【課題】  長さの異なる２本のストラップを用いて、ハンドストラップ、肩掛け用ショルダーストラップ、斜め掛け用ショルダーストラップの３つの用途に対応できる連結式ストラップを提供する。【解決手段】  長さが３０ｃｍ以上４５ｃｍ以下で、ループ状に固定できるハンドストラップ用の第１のストラップ１と、長さが６５ｃｍ以上１３０ｃｍ以下で、調整部２４を備える第２のストラップ２とが連結可能であり、第１のストラップ１と第２のストラップ２を連結して調整部２４で長さを調整することで、肩掛け又は斜め掛けのショルダーストラップとして用いることができ、２本のストラップで、ハンドストラップ、肩掛け用ショルダーストラップ、斜め掛け用ショルダーストラップの３つの用途に対応できる連結式ストラップである。【選択図】        図３
0003208335.tif 000002
【実用新案登録請求の範囲】
【請求項１】
第１のストラップと第２のストラップとが連結可能な連結式ストラップであって、
前記第１のストラップは、前記第２のストラップに連結しない場合に、ループ状に固定でき、
前記第２のストラップは、前記第１のストラップより長く、長さの調整を行う調整部を備え、
前記第１のストラップは、長さが両端の留め具を含んで３０ｃｍ以上で４５ｃｍ以下であり、
前記第２のストラップは、前記調整部で最長にした長さが両端の留め具を含んで６５ｃｍ以上で１３０ｃｍ以下であることを特徴とする連結式ストラップ。
【請求項２】
第２のストラップは、調整部で最短にした長さが両端の留め具を含んで３０ｃｍ以上で６０ｃｍ以下であることを特徴とする請求項１記載の連結式ストラップ。
【請求項３】
第１のストラップは、長さが両端の留め具を含んで３５ｃｍ以上で４０ｃｍ以下であり、
第２のストラップは、調整部で最長にした長さが両端の留め具を含んで１００ｃｍ以上で１１０ｃｍ以下であることを特徴とする請求項１又は２記載の連結式ストラップ。
【考案の詳細な説明】
【技術分野】
【０００１】
本考案は、２つの異なる長さのストラップを連結して使用する連結式ストラップに係り、特に、ハンドストラップ、肩掛け用のショルダーストラップ、斜め掛け用のショルダーストラップの３つの用途に使用できる連結式ストラップに関する。
【背景技術】
【０００２】
［先行技術の説明］
従来、財布、ポーチ、バッグに複数のストラップを利用するものがあった。
例えば、下記の先行技術文献に示すものがある。
【０００３】
［関連技術］
関連する先行技術としては、実用新案登録第３１７６０００号公報「スリーウェイサイフ」株式会社ビッグフィールド（特許文献１）、実用新案登録第３０５８３６１号公報「ハンドバッグの手ひも取り付け構造」株式会社ルサックアダム（特許文献２）、特開平１０−２４８６１７号公報「バッグ」廣田直子（特許文献３）、特開２０１３−９４６３９号公報「マルチ・ファンクショナル・ポケット付きバッグ」安江和子（特許文献４）がある。
【０００４】
特許文献１には、長さの異なる２本のベルトを備え、それをサイフに装着することでハンドバッグ、ポシェットとしても使用できることが記載されている。
特許文献２には、バッグ本体に各種の手ひもを交換して取り付ける構造が記載されている。
【０００５】
特許文献３には、２本のストラップを備え、リュックとしても使用できる構成が記載されている。
特許文献４には、ショルダーバッグ、ウエストポーチ、斜め掛けの３通りに使える付け替え可能な長短２本のストラップを備えた構成が記載されている。
【先行技術文献】
【特許文献】
【０００６】
【特許文献１】実用新案登録第３１７６０００号公報
【特許文献２】実用新案登録第３０５８３６１号公報
【特許文献３】特開平１０−２４８６１７号公報
【特許文献４】特開２０１３−９４６３９号公報
【考案の概要】
【考案が解決しようとする課題】
【０００７】
しかしながら、上記従来のストラップでは、単に複数のストラップを取り替えて使用するものや、２本のストラップを連結するものの、長さを調節する程度のものであり、ハンドストラップ、肩掛け用ショルダーストラップ、斜め掛け用ショルダーストラップの３つの用途に対応できるものとはなっていないとの問題点があった。
【０００８】
尚、特許文献１〜４には、２本のストラップを連結して使用することは記載されておらず、更に、２本のストラップを用いて、ハンドストラップ、肩掛け用ショルダーストラップ、斜め掛け用ショルダーストラップの３つの用途に使用することは記載されていない。
【０００９】
本考案は上記実状に鑑みて為されたもので、長さの異なる２本のストラップを用いて、ハンドストラップ、肩掛け用ショルダーストラップ、斜め掛け用ショルダーストラップの３つの用途に対応できる連結式ストラップを提供することを目的とする。
【課題を解決するための手段】
【００１０】
上記従来例の問題点を解決するための本考案は、第１のストラップと第２のストラップとが連結可能な連結式ストラップであって、第１のストラップが、第２のストラップに連結しない場合に、ループ状に固定でき、第２のストラップが、第１のストラップより長く、長さの調整を行う調整部を備え、第１のストラップが、長さが両端の留め具を含んで３０ｃｍ以上で４５ｃｍ以下であり、第２のストラップが、調整部で最長にした長さが両端の留め具を含んで６５ｃｍ以上で１３０ｃｍ以下であることを特徴とする。
【００１１】
また、本考案は、上記連結式ストラップにおいて、第２のストラップが、調整部で最短にした長さが両端の留め具を含んで３０ｃｍ以上で６０ｃｍ以下であることを特徴とする。
【００１２】
また、本考案は、上記連結式ストラップにおいて、第１のストラップが、長さが両端の留め具を含んで３５ｃｍ以上で４０ｃｍ以下であり、第２のストラップが、調整部で最長にした長さが両端の留め具を含んで１００ｃｍ以上で１１０ｃｍ以下であることを特徴とする。
【考案の効果】
【００１３】
本考案によれば、第１のストラップが、第２のストラップに連結しない場合に、ループ状に固定でき、第２のストラップが、第１のストラップより長く、長さの調整を行う調整部を備え、第１のストラップが、長さが両端の留め具を含んで３０ｃｍ以上で４５ｃｍ以下であり、第２のストラップが、調整部で最長にした長さが両端の留め具を含んで６５ｃｍ以上で１３０ｃｍ以下である連結式ストラップとしているので、ハンドストラップ、肩掛け用ショルダーストラップ、斜め掛け用ショルダーストラップの３つの用途に対応できる効果がある。
【図面の簡単な説明】
【００１４】
【図１】第１のストラップの概略図である。
【図２】第２のストラップの概略図である。
【図３】２本のストラップの連結を示す概略図である。
【図４】ポーチの表面と裏面へのナスカンの取り付け状況を示す図である。
【図５】ハンドストラップとしての使用例を示す図である。
【図６】肩掛けの使用例を示す図である。
【図７】斜め掛けの使用例を示す図である。
【考案を実施するための形態】
【００１５】
本考案の実施の形態について図面を参照しながら説明する。
［実施の形態の概要］
本考案の実施の形態に係る連結式ストラップは、長さが３０ｃｍ以上４５ｃｍ以下で、ループ状に固定できるハンドストラップ用の第１のストラップと、長さが６５ｃｍ以上１３０ｃｍ以下で、長さの調整部を備える第２のストラップとが連結可能であり、第１のストラップと第２のストラップを連結して調整部で長さを調整することで、肩にまっすぐかける肩掛け用、又は斜めに掛ける斜め掛け用のショルダーストラップとして用いられ、これにより、少ない本数のストラップでハンドストラップ、肩掛け用ショルダーストラップ、斜め掛け用ショルダーストラップの３種類の使用方法を容易に実現できるものである。
【００１６】
本考案の実施の形態に係る連結式ストラップに（本連結式ストラップ）ついて図１〜図３を参照しながら説明する。図１は、第１のストラップの概略図であり、図２は、第２のストラップの概略図であり、図３は、２本のストラップの連結を示す概略図である。
本連結式ストラップは、図１〜図３に示すように、第１のストラップ１と、第２のストラップ２とが連結可能となっている。
【００１７】
［第１のストラップ：図１］
第１のストラップ１は、図１に示すように、帯状の本体１１と、その両端に設けられ、ポーチやバッグのリングに着脱可能に固定する留め具（ナスカン）１２，１３とから構成されている。
【００１８】
第１のストラップ１は、長さが両端のナスカン１２，１３を含んで３０ｃｍ以上で４５ｃｍ以下であり、好ましくは、長さが両端のナスカン１２，１３を含んで３５ｃｍ以上で４０ｃｍ以下である。
【００１９】
図１の例では、本体１１の長さが３０ｃｍで、両端のナスカン１２，１３の長さがそれぞれ４．５ｃｍである。よって、図１の第１のストラップ１は、長さが３９ｃｍとなっている。
第１のストラップ１における両端のナスカン１２，１３の両方をポーチ等の一つのリングに固定することで、ハンドストラップとして利用することができる。
【００２０】
［第２のストラップ：図２］
第２のストラップ２は、図２に示すように、帯状の本体２１と、その一端に設けられた留め具（ナスカン）２２と、その他端に設けられた閉鎖リング（例えば、Ｄリング）２３と、本体２１の長さを調整する調整部（ベルトアジャスター）２４とから構成されている。
閉鎖リング２３をＤリングとしたが、Ｏリングでもよい。
【００２１】
また、調整部２４は、例えば、特許文献３の図２に示した構成を用いるものであり、本体２１を調整部２４に所定の方法で通しておき、調整部２４を移動させることで、第２のストラップ２全体の長さを調整する。
【００２２】
第２のストラップ２における本体２１の長さは、調整部２４で調整された第２のストラップ２の全体の長さが、約３０ｃｍ以上で約１３０ｃｍ以下となるよう、適宜決定されている。
具体的には、調整部２４で長さを調整して、長くした場合には、第１のストラップ１と連結して斜め掛け用のショルダーストラップとして用いられ、短くした場合には、第１のストラップ１と連結して肩掛け用のショルダーストラップとして用いられるよう、本体２１の長さが決められている。
【００２３】
［最長とした場合の長さ］
第２のストラップ２は、調整部２４で最長となるよう調整した全体の長さが、両端のナスカン２２とＤリング２３を含んで６５ｃｍ以上で１３０ｃｍ以下であり、好ましくは、調整部２４で最長にした長さが、両端のナスカン２２とＤリング２３を含んで全長１００ｃｍ以上で１１０ｃｍ以下である。
［最短とした場合の長さ］
また、第２のストラップ２は、調整部２４で最短となるよう調整した全体の長さが、両端のナスカン２２とＤリング２３を含んで３０ｃｍ以上で６０ｃｍ以下である。
【００２４】
［図２の例］
具体例として、図２に示した第２のストラップ２における長さ調節について説明する。
図２の例では、調整部２４で最長にした場合、調節された本体２１の長さが１００ｃｍとなり、ナスカン２２の長さが４．５ｃｍ、Ｄリング２３の長さが１．７ｃｍで、全体の長さは１０５．７ｃｍ程度となる。ここでは、本体２１とＤリング２３の重複する長さ部分を差し引いている。
【００２５】
また、図２に示した第２のストラップ２を調整部２４で最短にした場合は、調節された本体２１の長さが５０ｃｍとなり、ナスカン２２の長さが４．５ｃｍ、Ｄリング２３の長さが１．７ｃｍで、全体の長さは５５．７ｃｍ程度となる。
【００２６】
［連結例：図３］
ここで、第１のストラップと第２のストラップを連結した例について図３を参照しながら説明する。
連結した場合には、図３に示すように、第１のストラップ１のナスカン１２と第２のストラップ２のＤリング２３が接続されるようになっている。
【００２７】
［長くした場合：斜め掛け用］
連結した本ストラップの長さを最長にした場合、第２のストラップ２における本体２１の長さが、調整部２４を調整することで、最大１００ｃｍとなり、第１のストラップと連結することで、ナスカン２２、本体２１、Ｄリング２３、ナスカン１２、本体１１、ナスカン１３の長さを合計すると、全体の長さが１４０ｃｍ以上で１４５ｃｍ以下となる（単純に加算すると１４５．２ｃｍだが、連結部分で重なるため、それより短くなっている）。
【００２８】
これにより、本連結式ストラップをポーチ等に取り付けた場合に、例えば、肩部分に２０ｃｍ程度接触するとして、折り返された本連結式ストラップは下側に６０ｃｍ以上となるため、斜め掛けのショルダーストラップとして使用できる。斜め掛けとは、ポーチの位置に対して反対側の肩に本連結式ストラップを掛ける形態をいう。
【００２９】
［短くした場合：肩掛け用］
また、連結した本ストラップの長さを最短にした場合、調整部２４を調整して、本体２１の長さを約半分の５０ｃｍとして、第１のストラップ１と連結すると、全体の長さは９０ｃｍ以上で９５ｃｍ以下となる（単純に加算すると９５．２ｃｍだが、連結部分で重なるため、それより短くなっている）。
【００３０】
これにより、本連結式ストラップをポーチ等に取り付けた場合に、例えば、肩部分に２０ｃｍ程度接触するとして、折り返された本連結式ストラップは下側に３５ｃｍ以上で３８ｃｍ以下となるため、肩掛けのショルダーストラップとして使用できる。肩掛けとは、ポーチの位置に対して同じ側の肩に本連結式ストラップを掛ける形態をいう。
尚、調整部２４を調整して本連結式ストラップの長さを全体的に長くして肩掛けに使用してもよい。
【００３１】
［ポーチへの取り付け状況：図４］
次に、本連結式ストラップをポーチに取り付けた場合について図４を参照しながら説明する。図４は、ポーチの表面と裏面へのナスカンの取り付け状況を示す図である。
図４に示すように、ポーチ３の表面と裏面には本連結式ストラップを取り付けるためのＤリング３１，３２が設けられている。
【００３２】
２つのＤリング３１，３２は、ポーチ３のファスナー３３の開口正面に対して対角に設けられている。対角に設けることでポーチ３を安定して肩に掛けることができ、更にファスナー３３が少し開いていても内部の物が落下することがない。
【００３３】
［使用形態：図５〜７］
次に、本連結式ストラップの使用例について図５〜７を参照しながら説明する。図５は、ハンドストラップとしての使用例を示す図であり、図６は、肩掛けの使用例を示す図であり、図７は、斜め掛けの使用例を示す図である。
図５〜７に示すように、本連結式ストラップを用いて、ハンドストラップ、肩掛け用ショルダーストラップ、斜め掛け用ショルダーストラップの３つの使用形態（用途）を実現している。
【００３４】
［ハンドストラップ：図５］
図５に示すように、ポーチの一つのＤリングに図１の第１のストラップ１の両端のナスカン１２，１３を接続すると、約３９ｃｍのループが形成されるので、ハンドストラップとして使用するのに適している。
【００３５】
［肩掛け：図６］
図６に示すように、ナスカン１２とＤリング２３を接続することで、第１のストラップ１と第２のストラップ２を連結し、第２のストラップ２の調整部２４を調整して全体の長さを１００ｃｍ程度にして、ポーチ３のＤリング３１，３２にナスカン１３とナスカン２２を接続すると、肩掛け用ショルダーストラップとして使用するのに適している。
【００３６】
［斜め掛け：図７］
図７に示すように、ナスカン１２とＤリング２３を接続することで、第１のストラップ１と第２のストラップ２を連結し、第２のストラップ２の調整部２４を調整して全体の長さを１４０ｃｍ程度にして、ポーチ３のＤリング３１，３２にナスカン１３とナスカン２２を接続すると、斜め掛け用ショルダーストラップとして使用するのに適している。
【００３７】
尚、２本のストラップを連結した状態から、第１のストラップ１のみでハンドストラップとして使用する場合に、第２のストラップ２のナスカン２２をポーチ３のＤリングに接続したままとし、そのＤリングがある側のポーチ３のポケットに第２のストラップ２を収納すれば、第２のストラップ２を紛失することがなく、更に、２本のストラップを再度連結する場合には、素早く連結作業を行うことができる。
【００３８】
［実施の形態の効果］
本連結式ストラップによれば、長さが３０ｃｍ以上４５ｃｍ以下で、ループ状に固定できるハンドストラップ用の第１のストラップ１と、長さが６５ｃｍ以上１３０ｃｍ以下で、調整部２４を備える第２のストラップ２とが連結可能であり、第１のストラップ１と第２のストラップ２を連結して調整部２４で長さを調整することで、肩掛け又は斜め掛けのショルダーストラップとして用いることができ、２本のストラップで、ハンドストラップ、肩掛け用ショルダーストラップ、斜め掛け用ショルダーストラップの３種類の使用方法を容易に実現できる効果がある。
【産業上の利用可能性】
【００３９】
本考案は、長さの異なる２本のストラップを用いて、ハンドストラップ、肩掛け用ショルダーストラップ、斜め掛け用ショルダーストラップの３つの用途に対応できる連結式ストラップに適している。
【符号の説明】
【００４０】
１...第１のストラップ、  ２...第２のストラップ、  ３...ポーチ、  １１...本体、  １１２，１３...留め具（ナスカン）、  ２１...本体、  ２２...留め具（ナスカン）、  ２３...閉鎖リング、  ２４...調整部、  ３１，３２...Ｄリング、  ３３...ファスナー
【図１】
0003208335.tif 000003
【図２】
0003208335.tif 000004
【図３】
0003208335.tif 000005
【図６】
0003208335.tif 000006
【図７】
0003208335.tif 000007
【図４】
0003208335.tif 000008
【図５】
0003208335.tif 000009